【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果が導出される前に、入賞について発生を許容するか否かを決定する事前決定手段と、
遊技者にとって有利な有利状態に移行させるか否かを決定する有利状態決定手段と、
遊技者が表示結果を導出させるために操作する導出操作手段と、
前記導出操作手段への操作に応じてゲームの進行を制御するゲーム制御手段と、
前記導出操作手段への操作に応じて、表示結果を導出させる制御を行なう導出制御手段とを備え、
前記スロットマシンは、特定入賞の発生を許容する旨の決定とともに、前記有利状態に移行させる旨も決定可能であり、
前記事前決定手段の決定結果が前記特定入賞の発生を許容することを含む決定結果であることを条件に、所定の遅延タイミングからゲームの進行を遅延させるための遅延制御を今回のゲームで実行するか、次回以降のゲームで実行するか、あるいは当該遅延制御を実行しないか、を決定する遅延制御決定手段と、
前記遅延制御決定手段の決定に従って前記遅延制御を実行する遅延制御手段とをさらに備え、
前記遅延制御決定手段が前記遅延制御を今回のゲームで実行すると決定する割合と次回以降のゲームで実行すると決定する割合との比率は、前記有利状態に移行させる旨および前記特定入賞の発生を許容する旨の双方が決定されるときと前記特定入賞の発生を許容する旨が決定されるが前記有利状態に移行させる旨が決定されないときとで異なり、
前記遅延制御手段は、前記遅延制御中に前記可変表示部を変動表示させる手段を含む、スロットマシン。
【手続補正２】
【補正対象書類名】明細書
【補正対象項目名】０００１
【補正方法】変更
【補正の内容】
【０００１】
本発明は、各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンに関する。
【手続補正３】
【補正対象書類名】明細書
【補正対象項目名】０００９
【補正方法】変更
【補正の内容】
【０００９】
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシン（スロットマシン１）において、
表示結果が導出される前に、入賞について発生を許容するか否かを決定する事前決定手段（乱数抽選により当選の有無を判定するメイン制御部４１）と、
遊技者にとって有利な有利状態に移行させるか否かを決定する有利状態決定手段と、
遊技者が表示結果を導出させるために操作する導出操作手段（ストップスイッチ８Ｌ、８Ｃ、８Ｒの操作、あるいはスタートスイッチ７の操作の検出信号を入力するメイン制御部４１）と、
前記導出操作手段への操作に応じてゲームの進行を制御するゲーム制御手段（メイン制御部４１）と、
前記導出操作手段への操作に応じて、表示結果を導出させる制御を行なう導出制御手段（リールの回転を開始させた後に停止させるメイン制御部４１）とを備え、
前記スロットマシンは、特定入賞（リプレイ（１）、ベル）の発生を許容する旨の決定とともに、前記有利状態に移行させる旨も決定可能であり、
前記事前決定手段の決定結果が前記特定入賞の発生を許容することを含む決定結果であることを条件に、所定の遅延タイミングからゲームの進行を遅延させるための遅延制御（フリーズ）を今回のゲームで実行するか、次回以降のゲームで実行するか、あるいは当該遅延制御を実行しないか、を決定する遅延制御決定手段（図１６のフリーズ決定処理）と、
前記遅延制御決定手段の決定に従って前記遅延制御を実行する遅延制御手段（図１１参照）とをさらに備え、
前記遅延制御決定手段が前記遅延制御を今回のゲームで実行すると決定する割合と次回以降のゲームで実行すると決定する割合との比率は、前記有利状態に移行させる旨および前記特定入賞の発生を許容する旨の双方が決定されるときと前記特定入賞の発生を許容する旨が決定されるが前記有利状態に移行させる旨が決定されないときとで異なり（図９参照）、
前記遅延制御手段は、前記遅延制御中に前記可変表示部を変動表示させる手段を含む。
【手続補正４】
【補正対象書類名】明細書
【補正対象項目名】００１０
【補正方法】変更
【補正の内容】
【００１０】
このような構成によれば、遅延制御は、特定入賞の発生が許容されたことを条件に実行されるが、特定入賞は有利状態に移行させる旨の決定と併せてその発生が許容されることがあるため、遅延制御の実行によって有利状態に移行されることの期待感を遊技者に与えることになる。
【手続補正５】
【補正対象書類名】明細書
【補正対象項目名】００１１
【補正方法】変更
【補正の内容】
【００１１】
しかも、遅延制御は、特定入賞の発生が許容された今回のゲームまたは次回以降のゲームにおいて選択的に実行されるため、特定入賞の発生が許容されたものの遅延制御を実行しない（次回以降のゲームを含めて）と決定されたときであっても、当該決定がなされたゲームにおいて特定入賞が発生したときには、遊技者に対して次回以降のゲームにおいて遅延制御が実行されるのではないか、ひいては有利状態に移行される旨が決定されるのではないかという期待感を継続させることができる。
【手続補正６】
【補正対象書類名】明細書
【補正対象項目名】００１２
【補正方法】変更
【補正の内容】
【００１２】
さらに、遅延制御を伴うゲームで特定入賞が発生するか、特定入賞が発生してから次回以降のゲームで遅延制御が実行されるかによって有利状態に移行される期待度が異なるため、どのタイミングで遅延制御が実行されるかという点にも遊技者の関心を向けることにより、さらなる興趣の向上を図ることができる。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
さらに、特定入賞としては、リプレイ（１）およびベルに限られず、他の小役であってもよい。また、リプレイ（１）またはベルと他の小役とが同時当選するような場合、あるいは複数種類の小役のうちの小役１と小役２とが同時当選するような場合において、小役１または小役２のいずれか一方を特定入賞としてもよい。また、前記特定入賞としては、極めて当選率の低いいわゆるレア小役やレアリプレイを選定してもよい。
【手続補正９】
【補正対象書類名】明細書
【補正対象項目名】０３６７
【補正方法】変更
【補正の内容】
【０３６７】
イ．スタートスイッチ７の操作に基づいてリール２Ｌ、２Ｃ、２Ｒを回転開始させた後、ストップスイッチ８Ｌ、８Ｃ、８Ｒの操作に応じてリールの回転を停止させた後にフリーズ期間に突入することによって、それ以降のリールの停止操作をフリーズ期間だけ無効とする。なお、フリーズ期間へは、１つ目のリールが停止した後に突入してもよく、２つ目のリールが停止した後に突入してもよい。前者の場合には第２停止および第３停止操作がフリーズ期間において無効とされ、後者の場合には第３停止操作がフリーズ期間において無効とされることになる。
【手続補正１０】
【補正対象書類名】明細書
【補正対象項目名】０３６９
【補正方法】変更
【補正の内容】
【０３６９】
また、本実施の形態では、フリーズを発生させるフリーズ役の例としてリプレイ（１）およびベルを例示した。しかしながら、リプレイ（１）およびベルのうちの一方のみをフリーズを発生させるフリーズ役としてもよい。また、リプレイ（１）およびベルに代えて、あるいは加えて、他の入賞役をフリーズ役として採用してもよい。ただし、他の入賞役を採用する場合であっても、その入賞役はビッグボーナスよりも引込み優先度が高い役とすることが望ましい。これにより、フリーズが発生したゲームにおいてビッグボーナスよりも発生させるフリーズ役を優先して入賞させることが可能となり、「フリーズによってビッグボーナス当選の可能性を告知する」という本来の目的を達成することが可能になる。
【手続補正１１】
【補正対象書類名】明細書
【補正対象項目名】０３９１
【補正方法】変更
【補正の内容】
【０３９１】
このように、フリーズ中の演出を遊技者の操作に応じて実行されるようにすれば、フリーズ中はゲームが進行しないが、遊技者はフリーズ中の演出に関与することができるため、フリーズ中のゲームが退屈なものとなることを防止できる。さらに、フリーズ中は、ゲームを進行させることができない状態であるので、遊技者がこのときに誤ってゲーム進行に関わるスイッチを操作したとしても、それによってゲームが遊技者の意図しない方向に進行してしまうこともない。
【手続補正１２】
【補正対象書類名】明細書
【補正対象項目名】０３９７
【補正方法】変更
【補正の内容】
【０３９７】
このように構成すると、第１のフリーズ演出が行なわれている状態において、遊技者がＭＡＸＢＥＴスイッチ６等を操作すれば第１のフリーズ演出から第２のフリーズ演出に変更されるため、フリーズ期間において遊技者に対して趣向性の高い演出を提供できる。
【手続補正１３】
【補正対象書類名】明細書
【補正対象項目名】０４００
【補正方法】変更
【補正の内容】
【０４００】
イ．ストップスイッチ８Ｌ、８Ｃ、８Ｒは、リール２Ｌ、２Ｃ、２Ｒを停止させるためのスイッチであるから、対応するリールが停止するとそのスイッチの機能は果たされてしまう。そこで、ストップスイッチ８Ｌ、８Ｃ、８Ｒのうち、停止済みのリールに対応するスイッチを演出実行操作のスイッチとして機能させ、操作が検出されたときに演出を実行することが考えられる。